(57)【要約】      （修正有）【課題】故人の行く末を念じて、より安らかに冥土に旅立ちできるための考えを付した火葬時の手向けのお札を提供する。【解決手段】紙、日本手ぬぐい等の素材の少なくとも一面に、上から下、又は右から左に向かって、順次、下記の１）−５）の欄を設ける。  １）お経文、  ２）お寺、神社、お宮の名称、及び印、  ３）このお寺、この神社、このお宮との結び付きを示す結び付き言葉、及び／又は、この結び付きを示したいわれ、道筋のような言葉を付した一連の内容文、  ４）人の気持ちを伝える一心頂禮の言葉、  ５）前記お寺、前記神社、前記お宮の朱印【選択図】図１
0003201171.tif 000002
【実用新案登録請求の範囲】
【請求項１】
紙、日本手ぬぐい、又は板材のような平坦な素材に、お経文とか、お寺、神社、お宮の名称、及び印、及びこのお寺、この神社、このお宮との結び付を示す結び付き言葉、及び／又は、この結び付きを示したいわれ、道筋のような言葉を付した一連の内容文とか、又は一心頂禮の人の気持ちを伝える言葉とか、或いは前記お寺、前記神社、前記お宮の朱印とかを備える構成とした火葬時の手向けのお札。
【請求項２】
前記お札には、上から下、又は右から左に向かって、順次、下記のように記した構成とする請求項１に記載の火葬時の手向けのお札。
１）  お経文、
２）  お寺、神社、お宮の名称、及び印、
３）  このお寺、この神社、このお宮との結び付を示す結び付き言葉、及び／又は、この結び付きを示したいわれ、道筋のような言葉を付した一連の内容文、
４）  一心頂禮の人の気持ちを伝える言葉、
５）  前記お寺、前記神社、前記お宮の朱印
【請求項３】
前記手向けのお札は、葬儀やお通夜の際に、御棺に収容する構成とする請求項１に記載の火葬時の手向けのお札。
【請求項４】
前記手向けのお札には、会葬者が、その思いを書することができる空間部を設ける
構成とする請求項１に記載の火葬時の手向けのお札。
【考案の詳細な説明】
【技術分野】
【０００１】
本考案は、故人に、会葬した人（会葬者等）が、その思いと、故人の行く末を念じた手向けのお札に関する。
【背景技術】
【０００２】
この種の「手向けのお札」に関しては、特開平９−１５４７０８号公報に記載の発明がある。この発明は、葬儀やお通夜等における法要の時に、会葬した人が、故人に対する想いを十分に伝え得ると考えられるので、有益であり、かつ会葬した人に安堵感を与える利点がある。
【０００３】
しかしながら、この発明は、故人の行く末を念じて、より安らかに冥土に旅立ちできるための考えを付した構造とは考えられず、改良の余地が有ると考えられる。
【０００４】
【特許文献１】特開平９−１５４７０８号公報
【考案の概要】
【考案が解決しようとする課題】
【０００５】
上記の如く、従来の「手向けのお札」は、新しい考えであり、会葬者には、心なしか安堵感を与え得る。また、この種の業界では、業界の粋な計らいをアピールできることと、経済性の観点からもそれなりの効果が期待できる。
【０００６】
しかしながら、前述したように、故人の行く末を念じること、併せて安らかに冥土に旅立ちできるための所作があることを望むとすれば、少し物足りないと考えられ、改良の余地が有る。
【課題を解決するための手段】
【０００７】
そこで、本考案は、故人の行く末を念じること、併せて安らかに冥土に旅立ちできるための所作を叶えること等を意図して請求項１〜４を提供する。
【考案の効果】
【０００８】
請求項１の考案は、紙、日本手ぬぐい、又は板材のような平坦な素材に、お経文とか、お寺、神社、お宮の名称、及び印、及びお寺、神社、お宮との結び付を示す結び付き言葉、及び／又は、結び付きを示したいわれ、道筋のような言葉を付した一連の内容文とか、又は一心頂禮の人の気持ちを伝える言葉とか、或いはお寺、前記神社、前記お宮の朱印とかを備える火葬時の手向けのお札であり、少なくとも、故人の行く末を念じること、併せて安らかに冥土に旅立ちできるための所作を叶えること等が図れる。また、会葬者には、心なしか安堵感を与え得るという特徴がある。
【０００９】
請求項２の考案は、お札には、上から下、又は右から左に向かって、順次、下記のように記した火葬時の手向けのお札。
【００１０】
１）  お経文、
２）  お寺、神社、お宮の名称、及び印、
３）  お寺、神社、お宮との結び付を示す結び付き言葉、及び／又は、結び付きを示したいわれ、道筋のような言葉を付した一連の内容文、
４）  一心頂禮の人の気持ちを伝える言葉、
５）  お寺、神社、お宮の朱印
従って、請求項１の特徴を達成できることと、この特徴達成に最適な、お札の配置構造を提供できる。
【００１１】
請求項３の考案は、手向けのお札は、葬儀やお通夜の際に、御棺に収容する火葬時の手向けのお札であり、請求項１の特徴を達成できることと、この特徴達成に最適な、お札の使用方法を提供できる。
【００１２】
請求項４の考案は、手向けのお札には、会葬者が、その思いを書することができる空間部を設ける火葬時の手向けのお札であり、請求項１の特徴を達成できることと、さらに会葬者の気持ちを十分に汲取れるお札を提供できる。
【図面の簡単な説明】
【００１３】
【図１】本考案による、紙の素材に永平寺発を付した第一実施例を示した斜視図
【図２】本考案による、日本手ぬぐいの素材に永平寺発を付した第二実施例を示した斜視図
【図３】本考案による、板材に永平寺発を付した第三実施例を示した斜視図
【図４】図１を実施した要部の一例を示した斜視図
【図５】本考案による、紙の素材に東本願寺発を付した第四実施例を示した斜視図
【図６】図５を実施した要部の一例を示した斜視図
【図７】本考案による、紙の素材に西本願寺発を付した五実施例を示した斜視図
【図８】図７を実施した要部の一例を示した斜視図
【考案を実施するための形態】
【００１４】
以下、本考案の一実施例を説明する。
【００１５】
図１に示した素材１を紙とした構造であり、第一実施例として説明すると、この素材１の表面１ａには、図１に示した如く、上から順に下に向かって、１）〜５）の文字（事柄）が付されている。
【００１６】
１）  お経文２００、
２）  お寺（永平寺）、神社、お宮の名称２０１、
３）  お寺、神社、お宮との結び付を示す結び付き言葉、及び／又は、結び付きを示したいわれ、道筋のような言葉を付した一連の内容文２０３、
４）  一心頂禮の人の気持ちを伝える言葉２０４、
５）  お寺、神社、お宮の朱印２０５、とする。
【００１７】
素材１に、前記１）〜５）の文字を付した第一実施例のものが、手向けのお札３である。
【００１８】
図２に示した素材１を日本手ぬぐいとした構造であり、第二実施例として説明すると、この素材１の表面１ａには、向かって、右から順に左に向かって、１）〜５）の文字が付されている。
【００１９】
１）  お経文２００、
２）  一心頂禮の人の気持ちを伝える言葉２０４、
３）  お寺（永平寺）、神社、お宮の名称２０１、
４）  お寺、神社、お宮との結び付を示す結び付き言葉、及び結び付のための乗物の名（図示せず）、並びに結び付の言葉を付した一連の内容文２０３、
５）  お寺、神社、お宮の朱印２０５、とする。
【００２０】
素材１に、前記１）〜５）の文字を付した第二実施例ものが、手向けのお札３である。
【００２１】
図３に示した素材１を板材とした構造であり、第三実施例として説明すると、内容は、原則として、前述の第一実施例に準ずる。
【００２２】
また、お寺、神社、お宮との結び付を示す結び付き言葉２０２、及び結び付のための乗物の名（図示せず）、又は結び付の言葉とかを付した一連の内容文２０３、とは、図４に示した構造であり、縁起の良い言葉とか、縁のある言葉の一例であり、この愛知県の恵那地方に存在する極楽寺に、ローカル電車で行けることと、その言葉が醸しだす、冥土には、素晴らしい第二の人生が待っていることを表現したものであり、未来、又は永劫における故人となる本人とか、会葬者等に安らぎと、安堵感を与え得る構成となっている。
【００２３】
図示しないが、会葬者が、その思いを書することができる空間部を設けることも可能である。
【００２４】
その他の図面は、発行処を異にするものであり、例えば、図５は、東本願寺発を、図７は西本願寺発を、それぞれ示しているが、その構成は、図１〜図４に示した永平寺発に準ずる。
【００２５】
前述した各実施例等は、本考案の好ましい一例の説明である。各実施例とか図面に限定されない。従って、考案の趣旨の範囲において構成の一部を変更する構造とか、同じ特徴と効果を達成できる構造、等は、本考案の範疇である。
【符号の説明】
【００２６】
１  素材
１ａ  表面
２００  お経文
２０１  名称
２０２  結び付き言葉
２０３  内容文
２０４  人の気持ちを伝える言葉
２０５  朱印
３  お札
【図１】
0003201171.tif 000003
【図２】
0003201171.tif 000004
【図３】
0003201171.tif 000005
【図４】
0003201171.tif 000006
【図５】
0003201171.tif 000007
【図６】
0003201171.tif 000008
【図７】
0003201171.tif 000009
【図８】
0003201171.tif 000010
【手続補正書】
【提出日】平成27年9月17日(2015.9.17)
【手続補正１】
【補正対象書類名】実用新案登録請求の範囲
【補正対象項目名】全文
【補正方法】変更
【補正の内容】
【実用新案登録請求の範囲】
【請求項１】
火葬時の手向けのお札の素材の少なくとも一面には、上から下、又は右から左に向かって、順次、下記のような１）−５）の欄を設ける構成とする火葬時の手向けのお札。
１）  お経文、
２）  お寺、神社、お宮の名称、及び印、
３）  このお寺、この神社、このお宮との結び付きを示す結び付き言葉、及び／又は、この結び付きを示したいわれ、道筋のような言葉を付した一連の内容文、
４）  人の気持ちを伝える一心頂禮の言葉、
５）  前記お寺、前記神社、前記お宮の朱印
【請求項２】
前記素材は、紙、日本手ぬぐい、又は板材のような平坦の素材とした構成とする請求項１に記載の火葬時の手向けのお札。
【請求項３】
前記手向けのお札は、葬儀やお通夜の際に、御棺に収容可能とした構成とする請求項１に記載の火葬時の手向けのお札。
【請求項４】
前記手向けのお札には、会葬者が、その思いを書することができる空間部を設ける
構成とする請求項１に記載の火葬時の手向けのお札。
【手続補正２】
【補正対象書類名】明細書
【補正対象項目名】０００８
【補正方法】変更
【補正の内容】
【０００８】
請求項１の考案は、火葬時の手向けのお札の素材の少なくとも一面には、上から下、又は右から左に向かって、順次、下記のような１）−５）の欄を設ける構成とする火葬時の手向けのお札。
１）  お経文、
２）  お寺、神社、お宮の名称、及び印、
３）  お寺、神社、お宮との結び付を示す結び付き言葉、及び／又は、結び付きを示したいわれ、道筋のような言葉を付した一連の内容文、
４）  人の気持ちを伝える一心頂禮の言葉、
５）  お寺、神社、お宮の朱印
であり、少なくとも、故人の行く末を念じること、併せて安らかに冥土に旅立ちできるための所作を叶えること等が図れる。また、会葬者には、心なしか安堵感を与え得るという特徴がある。
【手続補正３】
【補正対象書類名】明細書
【補正対象項目名】０００９
【補正方法】変更
【補正の内容】
【０００９】
請求項２の考案は、素材は、紙、日本手ぬぐい、又は板材のような平坦の素材とした構成とする火葬時の手向けのお札であり、請求項１の特徴を達成できることと、この特徴達成に最適な、お札の素材を提供できる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項３の考案は、手向けのお札は、葬儀やお通夜の際に、御棺に収容可能とした火葬時の手向けのお札であり、請求項１の特徴を達成できることと、この特徴達成に最適な、お札の使用方法を提供できる。